(57)【要約】【課題】本発明は、血圧計に関し、例えば家庭用の血圧計に適用して、測定結果を標準の判定基準により簡易に確認することができるようにする。【解決手段】本発明は、血圧値が、何れの血圧区分に属するかを判定し、この属する区分を棒状の領域１２Ｅで表示する。【選択図】　　　　図１
2004121632.tif 000002
【特許請求の範囲】
【請求項１】
血圧測定手段と、
前記血圧測定手段で測定した血圧の属する血圧区分を判定する血圧判定手段と、
前記血圧判定手段による判定結果を、略棒状の領域で表示する表示手段とを備え、
前記表示手段による表示により、測定した血圧の属する区分を視認できるようにした
ことを特徴とする電子血圧計。
【請求項２】
請求項１に記載の電子血圧計において、
前記表示手段は、
前記血圧測定手段で測定した血圧を数値により併せて表示する
ことを特徴とする電子血圧計。
【請求項３】
請求項１又は請求項２に記載の電子血圧計において、
前記血圧判定手段による判定対象の血圧が、最高血圧、最低血圧、平均血圧の何れかであり、
前記表示手段による前記略棒状の領域による表示が、棒グラフ状の表示、又は前記血圧区分に対応する部位の表示である
ことを特徴とする電子血圧計。
【発明の詳細な説明】
【０００１】
【発明の属する技術分野】
本発明は、電子血圧計に関し、例えば家庭用の電子血圧計に適用することができる。本発明は、血圧が何れの血圧区分に属するかを判定し、この血圧区分を棒状の領域で表示することにより、標準の判定基準で測定結果を簡易に確認することができるようにする。
【０００２】
【従来の技術】
従来、電子血圧計においては、最高血圧、最低血圧を数字により表示して測定結果をユーザー等に通知するようになされている。家庭用の電子血圧計においては、このような測定結果等の表示に各種の工夫が施され、これによりユーザーの健康管理に役立てることができるようになされている。
【０００３】
すなわち例えば特開平６−１０５８１５号公報に開示の構成においては、過去の測定値を表示できるようにし、これにより過去の血圧値との対比により、現在の体調を把握できるようになされている。また特開平７−３１５９４号公報に開示の構成においては、ユーザーにより設定した許容範囲からの測定値の逸脱を検出して警告を表示することにより、同様に、この許容値を基準にした相対的な判断により、現在の体調を把握できるようになされている。
【０００４】
【特許文献１】
特開平６−１０５８１５号公報
【特許文献２】
特開平７−３１５９４号公報
【０００５】
【発明が解決しようとする課題】
ところでこのような過去の血圧値、許容値を基準にした相対的な判断に代えて、標準の判定基準により測定結果を確認することができれば、測定結果を客観的に判定して、現在の体調を判断することができ、この種の電子血圧計を一段と健康管理に役立てることができると考えられる。この場合、例えばＷＨＯ（Ｗｏｒｌｄ　Ｈｅａｌｔｈ　Ｏｒｇａｎｉｚａｔｉｏｎ　）による血圧区分により測定結果を判定して、高血圧、正常血圧等を判断することが考えられる。
【０００６】
しかしながらこのＷＨＯの血圧区分においては、この種の電子血圧計で健康管理を図る必要の多い高齢者にとって判り難いものであり、これにより簡易に測定結果を確認できない問題がある。
【０００７】
本発明は以上の点を考慮してなされたもので、測定結果を標準の判定基準で簡易に確認することができる電子血圧計を提案しようとするものである。
【０００８】
【課題を解決するための手段】
かかる課題を解決するため請求項１の発明においては、血圧測定手段と、前記血圧測定手段で測定した血圧の属する血圧区分を判定する血圧判定手段と、前記血圧判定手段による判定結果を、略棒状の領域で表示する表示手段とを備え、前記表示手段による表示により、測定した血圧の属する区分を視認できるようにする。
【０００９】
また請求項２の発明においては、請求項１に記載の電子血圧計において、前記表示手段は、前記血圧測定手段で測定した血圧を数値により併せて表示する。
【００１０】
また請求項３の発明においては、請求項１又は請求項２に記載の電子血圧計において、前記血圧判定手段による判定対象の血圧が、最高血圧、最低血圧、平均血圧の何れかであり、前記表示手段による前記略棒状の領域による表示が、棒グラフ状の表示、又は前記血圧区分に対応する部位の表示であるようにする。
【００１１】
請求項１の構成によれば、血圧測定手段と、前記血圧測定手段で測定した血圧の属する血圧区分を判定する血圧判定手段と、前記血圧判定手段による判定結果を、略棒状の領域で表示する表示手段とを備え、前記表示手段による表示により、測定した血圧の属する区分を視認できるようにしたことにより、例えばＷＨＯの血圧区分により測定値を判定し、その判定結果を簡易かつ確実にユーザーに通知することができる。これにより測定結果を標準の判定基準により簡易に確認することができる。
【００１２】
また請求項２の構成によれば、請求項１に記載の電子血圧計において、前記表示手段は、前記血圧測定手段で測定した血圧を数値により併せて表示することにより、測定結果を数値によっても確認することができる。
【００１３】
また請求項３の構成によれば、請求項１又は請求項２に記載の電子血圧計において、前記血圧判定手段による判定対象の血圧が、最高血圧、最低血圧、平均血圧の何れかであり、前記表示手段による前記略棒状の領域による表示が、棒グラフ状の表示、又は前記血圧区分に対応する部位の表示であることにより、所望の測定結果についての血圧区分を、種々の表示方法により表示することができる。
【００１４】
【発明の実施の形態】
以下、適宜図面を参照しながら本発明の実施の形態を詳述する。
【００１５】
（１）第１の実施の形態
（１−１）第１の実施の形態の構成
図２は、本発明の第１の実施の形態に係る家庭用の電子血圧計を示すブロック図である。ここで電子血圧計１は、被験者の手首に巻き付けて保持できるようにカフ２が構成され、カフ２の外周側に本体装置３を配置して構成される。
【００１６】
ここで本体装置３において、電源４は、乾電池又はＡＣアダプターの電源よりこの電子血圧計１の各部に電源を供給する。ポンプ５は、コントロール部６の制御により動作してカフ２に空気を注入し、カフ２が巻き付けられてなる被験者の手首を圧迫するようになされている。排気弁７は、コントロール部６の制御により動作し、カフ２に注入された空気を徐々に流出させ、これにより被験者の手首を圧迫するカフ２の圧力を減少させるようになされている。圧力センサ８は、このようにカフ２に注入された空気による圧力を検出して圧力検出信号Ｓ１をコントロール部６に出力する。これによりこの電子血圧計１では、被験者の手首よりカフ２が受ける圧力を圧力センサ８により検出して、この圧力センサ８による圧力検出信号Ｓ１によりコントロール部６で被験者の脈拍を測定できるようになされ、さらにはこのカフ２による手首の押圧力を変化させて最高血圧、最低血圧をコントロール部６で測定できるようになされている。
【００１７】
スタートスイッチ１０は、この電子血圧計１の動作開始を指示する押圧操作子であり、ユーザーによる押圧操作がコントロール部６に通知されるようになされている。メモリスイッチ１１は、過去の測定結果との平均値を表示させる押圧操作子であり、ユーザーによる押圧操作がコントロール部６に通知されるようになされている。液晶表示部１２は、コントロール部６の制御によりこの本体装置３による各種の測定結果を表示する。
【００１８】
ここで図３は、この液晶表示部１２の構成を示す平面図である。液晶表示部１２は、上段に８セグメントによる３桁の表示部１２Ａが設けられ、この表示部１２Ａで最高血圧を表示するようになされている。また中段に、同様の３桁による表示部１２Ｂが設けられ、この表示部１２Ｂで最低血圧を表示できるようになされている。また液晶表示部１２は、最下段に、表示部１２Ａ、１２Ｂに比して小型の８セグメントによる３桁の表示部１２Ｃが設けられ、過去の測定結果との平均値による最高血圧、最低血圧（以下、適宜平均血圧と呼ぶ）を表示する際に、この表示部１２Ｃで平均値の算出に供する測定結果の数を表示するようになされている。
【００１９】
液晶表示部１２は、左側、最上段に、英数字「Ｍ」を表示する表示部１２Ｄが設けられ、過去の測定結果との平均値による最高血圧、最低血圧を表示する場合、この表示部１２Ｄが点灯されるようになされている。これに対してこの表示部１２Ｄの下側には、ほぼ矩形形状による６個のセグメント１２ＥＡ〜１２ＥＦが、縦方向に並んで配置されて、表示部１２Ｅが形成されるようになされている。
【００２０】
ここでこの実施の形態において、この６個のセグメント１２ＥＡ〜１２ＥＦは、それぞれＷＨＯの各血圧区分に割り当てられるようになされている。すなわち図４に示すように、ＷＨＯの血圧区分においては、それぞれ最高血圧及び最低血圧に５つの判定基準値ＳＹＳ１〜ＳＹＳ５、ＤＩＡ１〜ＤＩＡ５が設けられ、最高血圧又は最低血圧の何れかが対応する最も値の大きな判定基準値ＳＹＳ５又はＤＩＡ５以上の場合、重症高血圧の血圧区分に区分される。また最高血圧及び最低血圧がそれぞれこの対応する最も値の大きな判定基準値ＳＹＳ５及びＤＩＡ５に満たない場合であって、最高血圧又は最低血圧の何れかが続く判定基準値ＳＹＳ４又はＤＩＡ４以上の場合、中等症高血圧の血圧区分に区分される。さらに最高血圧及び最低血圧がそれぞれ判定基準値ＳＹＳ４及びＤＩＡ４に満たない場合であって、最高血圧又は最低血圧の何れかが続く判定基準値ＳＹＳ３又はＤＩＡ３以上の場合、軽症高血圧の血圧区分に区分される。また最高血圧及び最低血圧がそれぞれ判定基準値ＳＹＳ３及びＤＩＡ３に満たない場合であって、最高血圧又は最低血圧の何れかが続く判定基準値ＳＹＳ２又はＤＩＡ２以上の場合、正常高血圧の血圧区分に区分される。また最高血圧及び最低血圧がそれぞれ判定基準値ＳＹＳ２及びＤＩＡ２に満たない場合であって、最高血圧又は最低血圧の何れかが続く判定基準値ＳＹＳ１又はＤＩＡ１以上の場合、正常血圧の血圧区分に区分され、最高血圧及び最低血圧がそれぞれ判定基準値ＳＹＳ１及びＤＩＡ１に満たない場合、適正血圧の血圧区分に区分される。
【００２１】
液晶表示部１２は、最も下側のセグメント１２ＥＡが適正血圧の血圧区分に割り当てられ、このセグメント１２ＥＡより上方側のセグメント１２ＥＢ〜１２ＥＦが、それぞれ正常血圧、正常高血圧、軽症高血圧、中等症高血圧、重症高血圧の血圧区分に割り当てられるようになされている。この実施の形態に係る電子血圧計１においては、ＷＨＯによる血圧区分により測定結果を判定して、その判定結果をこれらセグメント１２ＥＡ〜１２ＥＦにより表示するようになされている。
【００２２】
これらにより液晶表示部１２は、ＷＨＯの血圧区分にそれぞれ対応する表示領域１２ＥＡ〜１２ＥＦが長さ方向に順次形成されてなる略棒状の領域１２Ｅを形成するようになされている。
【００２３】
これらの区分に対応して電子血圧計１は、図示しないメモリにこれら判定基準値ＳＹＳ１〜ＳＹＳ５、ＤＩＡ１〜ＤＩＡ５が事前に記録されて保持されるようになされている。
【００２４】
コントロール部６は、この電子血圧計１の動作を制御するコンピュータであり、圧力検出信号Ｓ１をアナログディジタル変換処理して入力するアナログディジタル変換回路、液晶表示部１２を駆動する駆動回路等を有するようになされている。コントロール部６は、スタートスイッチ１０、メモリスイッチ１１の操作に応動してメモリに保持したプログラムを実行することにより、所定の処理手順を実行して各部の動作を制御するようになされている。
【００２５】
図５は、このスタートスイッチ１０の操作によるコントロール部６の処理手順を示すフローチャートである。コントロール部６は、スタートスイッチ１０が押圧操作されると、電源４に動作の開始を指示し、これにより全体の動作を立ち上げる。またその後、この処理手順において、ステップＳＰ１からステップＳＰ２に移り、圧力検出信号Ｓ１によりカフ２が受ける圧力を監視しながら、ポンプ５の動作を指示し、これにより最高血圧を測定する。また最高血圧を測定すると、同様に圧力検出信号Ｓ１によりカフ２が受ける圧力を監視しながら、動作の停止をポンプ５に指示すると共に、排気弁７に動作の開始を指示し、これにより最低血圧を測定する。
【００２６】
続いてコントロール部６は、ステップＳＰ３に移り、この最高血圧、最低血圧の測定値をメモリに記録し、これにより測定結果を記録して保持する。なおこの場合において、このようにして記録して保持した測定結果が所定値以上となると、コントロール部６は、メモリに保持した最も古い測定結果を、ステップＳＰ２で検出した最新の測定結果により更新してメモリに記録する。
【００２７】
続いてコントロール部６は、ステップＳＰ４において、ステップＳＰ２で測定した測定結果を上述したＷＨＯの血圧区分により判定する。すなわちコントロール部６は、最高血圧値が判定基準値ＳＹＳ５以上の場合、又は最低血圧値が判定基準値ＤＩＡ５以上の場合、重症高血圧の血圧区分であると判定する。また重症高血圧の血圧区分に属さない場合であって、最高血圧値が判定基準値ＳＹＳ４以上の場合、又は最低血圧値が判定基準値ＤＩＡ４以上の場合、中等症高血圧の血圧区分であると判定する。また重症高血圧及び中等症高血圧の血圧区分に属さない場合であって、最高血圧値が判定基準値ＳＹＳ３以上の場合、又は最低血圧値が判定基準値ＤＩＡ３以上の場合、軽症高血圧の血圧区分であると判定する。また重症高血圧、中等症高血圧及び軽症高血圧の血圧区分に属さない場合であって、最高血圧値が判定基準値ＳＹＳ２以上の場合、又は最低血圧値が判定基準値ＤＩＡ２以上の場合、正常高血圧の血圧区分であると判定する。また重症高血圧、中等症高血圧、軽症高血圧及び正常高血圧の血圧区分に属さない場合であって、最高血圧値が判定基準値ＳＹＳ１以上の場合、又は最低血圧値が判定基準値ＤＩＡ１以上の場合、正常血圧の血圧区分であると判定し、これらの何れにも属さない場合、適正血圧と判断する。
【００２８】
続いてコントロール部６は、ステップＳＰ５に移り、最高血圧値、最低血圧値、区分の判定結果を液晶表示部１２で表示した後、ステップＳＰ６に移って、この処理手順を終了する。
【００２９】
図６（Ａ）及び（Ｂ）は、この最高血圧値、最低血圧値、区分の判定結果による液晶表示部１２の表示画面を示す平面図である。コントロール部６は、最上段及び中段の表示部１２Ａ及び１２Ｂによりそれぞれ最高血圧値及び最低血圧値を表示する。表示部１２Ｅのセグメント１２ＥＡ〜１２ＥＦについては、血圧の最も低い区分に対応するセグメント１２ＥＡから、ステップＳＰ４で判定した区分に対応するセグメントまでを点灯させる。かくするにつき図６（Ａ）の例では、最高血圧値及び最低血圧値がそれぞれ１３７及び７１であり、この場合、正常高血圧の血圧区分に属することにより、血圧の最も低い血圧区分に対応するセグメント１２ＥＡから正常高血圧の血圧区分に対応するセグメント１２ＥＣまでを点灯させるようになされている。また図６（Ｂ）の例では、最高血圧値及び最低血圧値がそれぞれ１６９及び９０であり、この場合、中等症高血圧の血圧区分に属することにより、血圧の最も低い血圧区分に対応するセグメント１２ＥＡから中等症高血圧の血圧区分に対応するセグメント１２ＥＥまでを点灯させる。これによりコントロール部６は、棒グラフ状の表示により判定結果を表示するようになされている。
【００３０】
これによりこの電子血圧計においては、現在の血圧値を客観的な判定基準により判定し、その判定結果をユーザーにより把握し易いように表示するようになされている。
【００３１】
これに対して図７は、メモリスイッチ１１の操作によるコントロール部６の処理手順を示すフローチャートである。コントロール部６は、メモリスイッチ１１が押圧操作されると、電源４に動作の開始を指示し、これにより全体の動作を立ち上げる。またその後、この処理手順において、ステップＳＰ１１からステップＳＰ１２に移り、メモリに記録した最高血圧、最低血圧のそれぞれについて、平均値を計算する。
【００３２】
続いてコントロール部６は、ステップＳＰ１３に移り、ステップＳＰ１２で計算した最高血圧の平均血圧、最低血圧の平均血圧を、ステップＳＰ４について上述したと同様にしてＷＨＯの血圧区分により判定する。また続いてコントロール部６は、このようにして得られる最高血圧の平均血圧、最低血圧の平均血圧を、区分の判定結果と共に液晶表示部１２に表示し、ステップＳＰ１５に移ってこの処理手順を終了する。
【００３３】
図８（Ａ）及び（Ｂ）は、この最高血圧の平均血圧、最低血圧の平均血圧、区分の判定結果による液晶表示部１２の表示画面を示す平面図である。コントロール部６は、最上段及び中段の表示部１２Ａ及び１２Ｂによりそれぞれ最高血圧値の平均血圧及び最低血圧値の平均血圧を表示する。表示部１２Ｅのセグメント１２ＥＡ〜１２ＥＦについては、血圧の最も低い血圧区分に対応するセグメント１２ＥＡから、ステップＳＰ４で判定した血圧区分に対応するセグメントまでを点灯させる。かくするにつき図８（Ａ）の例では、最高血圧値の平均血圧及び最低血圧値の平均血圧がそれぞれ１３７及び７１であり、この場合、正常高血圧の血圧区分に属することにより、血圧の最も低い血圧区分に対応するセグメント１２ＥＡから正常高血圧の血圧区分に対応するセグメント１２ＥＣまでを点灯させるようになされている。また図８（Ｂ）の例では、最高血圧値の平均血圧及び最低血圧値の平均血圧がそれぞれ１６９及び９０であり、この場合、中等症高血圧の血圧区分に属することにより、血圧の最も低い血圧区分に対応するセグメント１２ＥＡから中等症高血圧の血圧区分に対応するセグメント１２ＥＥまでを点灯させる。これによりこの場合も、コントロール部６は、棒グラフ状の表示により判定結果を表示するようになされている。
【００３４】
またコントロール部６は、これら平均血圧による表示においては、最下段に、平均値の算出に供したサンプリング数を、平均を示す英字「Ａ」と共に表示する。因みに、この図８（Ａ）及び（Ｂ）の例は、サンプリング数が２５個の場合である。またコントロール部６は、表示部１２Ｄを表示させてメモリの記録による表示である旨、ユーザーに通知する。
【００３５】
これらによりこの電子血圧計１においては、図１に示すように、カフ２、ポンプ５、排気弁７、圧力センサ８、コントロール部６により血圧測定手段を構成し、ユーザーの血圧を測定するようになされている。またコントロール部６により血圧判定手段を構成し、この血圧判定手段で、血圧測定手段で測定した血圧の属する血圧区分を判定するようになされている。またコントロール部６及び液晶表示部１２により表示手段を構成し、血圧判定手段による判定結果を、略棒状の領域１２Ｅで表示するようになされている。
【００３６】
（１−２）第１の実施の形態の動作
以上の構成において、この電子血圧計１においては（図２）、カフ２を腕に装着した後、例えば椅子に着席して落ちついたところで、スタートスイッチ１０を押圧することにより、ポンプ５によりカフ２に空気が送り込まれ、圧力センサ８から出力される圧力検出信号Ｓ１によりコントロール部６で最高血圧が測定される。またその後、排気弁７によりカフ２の空気を流出させて、圧力検出信号Ｓ１によりコントロール部６で最低血圧が測定される。
【００３７】
電子血圧計１では、このようにして得られる最高血圧、最低血圧による測定結果がメモリに記録される。またＷＨＯの判定基準により最高血圧、最低血圧が判定され、これにより客観的な判定基準により血圧値の属する区分が判定される。電子血圧計１では、この最高血圧、最低血圧が数字により液晶表示部１２で表示され、これによりユーザーに測定結果が通知される。またＷＨＯの血圧区分による判定結果がセグメント１２ＥＡ〜１２ＥＦによる棒状の領域１２Ｅで表示される（図６）。
【００３８】
これによりユーザーにおいては、自分の血圧を客観的に判定してなる判定結果を目視により確認することができ、測定結果を標準の判定基準により簡易に確認することができる。
【００３９】
また電子血圧計１においては、ユーザーがメモリスイッチ１１を操作すると、メモリに記録された最高血圧及び最低血圧の測定結果がそれぞれ平均値化され、その結果得られる最高血圧の平均値及び最低血圧の平均血圧が同様にＷＨＯの判定基準により判定され、さらにはこれら最高血圧の平均血圧及び最低血圧の平均血圧が判定結果と共に表示される（図８）。
【００４０】
これにより電子血圧計１においては、例えば運動等による外乱による一時的な血圧の変動による区分の変化を防止することができ、これによりユーザーにおいては、自分の属する区分を標準の判定基準により簡易に確認することができる。
【００４１】
（１−３）第１の実施の形態の効果
以上の構成によれば、血圧の測定結果が何れの血圧区分に属するかを判定し、棒状の領域で表示することにより、標準の判定基準により測定結果を簡易に確認することができる。
【００４２】
またこのときユーザーの操作により平均血圧を計算し、この平均血圧の属する区分を判定して表示を切り換えることにより、一時的な血圧の変動による区分の変化を防止して、自分の属する区分を標準の判定基準により簡易に確認することができる。
【００４３】
（２）第２の実施の形態
この実施の形態においては、測定結果、平均値の属する区分を表示する際に、対応する部位のセグメントだけを表示する。なおこの実施の形態に係る電子血圧計においては、この表示に係る処理が異なる点を除いて、第１の実施の形態と同一に構成されることにより、ここでは図２の構成を流用して、相違する構成のみ説明し、重複した説明は省略する。
【００４４】
すなわち図９に示すよう、コントロール部６においては、例えば正常高血圧の判定結果が得られた場合、対応するセグメント１２ＥＣだけ表示する。
【００４５】
このように対応する部位の表示により判定結果を表示するようにしても、第１の実施の形態と同様の効果を得ることができる。
【００４６】
（３）第３の実施の形態
この実施の形態においては、平均値の区分を表示する際に、平均血圧に対する血圧値の変化を併せて表示する。なおこの実施の形態に係る電子血圧計においては、この平均血圧の区分を表示する処理が異なる点を除いて、第１の実施の形態と同一に構成されることにより、ここでは図２の構成を流用して、相違する構成のみ説明し、重複した説明は省略する。
【００４７】
この実施の形態において、コントロール部６は、最高血圧、最低血圧の平均血圧を計算すると、この最高血圧、最低血圧の平均血圧を加算する。またコントロール部６は、測定した最高血圧、最低血圧を加算し、平均血圧の加算値に対して、測定値による加算値が、一定値以上、上昇しているか、また一定値以上減少しているか判定する。これによりコントロール部６は、平均血圧に対する測定値の変化を判定する。
【００４８】
さらにコントロール部６は、液晶表示部１２により平均値を表示する際に、図１０に示すように、この判定結果に基づいて、所定のセグメントを点滅表示させる。すなわちコントロール部６は、図１０（Ａ）に示すように、平均血圧については第１の実施の形態と同様に表示し、平均血圧に対して、測定値が一定値以上増大している場合、平均血圧の区分を表示するセグメント１２ＥＣに対して、このセグメント１２ＥＣより血圧の高い側の区分を表示するセグメント１２ＥＤを点滅表示させる。従って図１０（Ａ）の例では、平均血圧が正常高血圧の血圧区分に属している場合であって、測定値による血圧値が平均値より上昇した場合を示すようになされている。
【００４９】
これに対して図１０（Ｂ）に示すように、平均血圧に対して、測定値が一定値以上減少した場合、平均血圧の区分を表示するセグメント１２ＥＣに対して、このセグメント１２ＥＣより血圧の低い側の区分を表示するセグメント１２ＥＢを点滅表示させる。従って図１０（Ｂ）の例では、平均血圧が正常高血圧の区分に属している場合であって、測定値による血圧値が平均血圧より降下した場合を示すようになされている。
【００５０】
またこのような平均血圧に対する測定値の変化がこの一定値より小さい場合、コントロール部６は、第１の実施の形態と同様にして平均血圧のみを表示する。
【００５１】
この実施の形態によれば、併せて血圧の変化を確認できることにより、さらに一段と健康管理に役だてることができる。
【００５２】
（４）第４の実施の形態
この実施の形態においては、測定結果、平均血圧の属する区分を表示する際に、対応するセグメントだけを表示し、また併せて測定値の属する区分を表示する。なおこの実施の形態に係る電子血圧計においては、この表示に係る一連の処理が異なる点を除いて、第１の実施の形態と同一に構成されることにより、ここでは図２の構成を流用して、相違する構成のみ説明し、重複した説明は省略する。
【００５３】
すなわちコントロール部６は、ユーザーによるメモリスイッチ１１の操作により、平均血圧と測定値との区分をそれぞれ判定し、平均血圧の区分については、図１１に示すように、対応するセグメント１２ＥＣの点灯により、測定値の区分については、対応するセグメント１２ＥＤ、１２ＥＢの点滅により表示する。なお平均血圧の区分と測定値の区分とが一致する場合には、測定値の区分による点滅表示を中止する。
【００５４】
これにより図１１（Ａ）の例は、平均血圧の区分と測定値の区分とがそれぞれ正常高血圧、軽症高血圧の場合であり、図１１（Ｂ）の例は、平均血圧の区分と測定値の区分とがそれぞれ正常高血圧、正常血圧の場合である。
【００５５】
この実施の形態のように、平均血圧の属する区分を表示する際に、測定値の属する区分を併せて表示するようにしても、第１の実施の形態と同様の効果を得ることができ、さらに区分を基準にして血圧の変化を容易に把握することができる。
【００５６】
（５）第５の実施の形態
この実施の形態においては、最高血圧、最低血圧のそれぞれをＷＨＯの判定基準により判定し、判定結果を表示することにより、最高血圧値及び最低血圧値の属する区分をそれぞれ表示する。なおこの実施の形態に係る電子血圧計においては、この表示に係る一連の処理が異なる点を除いて、第１の実施の形態と同一に構成されることにより、ここでは図２の構成を流用して、相違する構成のみ説明し、重複した説明は省略する。
【００５７】
図１２は、この実施の形態に係る液晶表示部による表示例を示す平面図である。この液晶表示部においては、最高血圧、最低血圧の数字による表示の下に、それぞれセグメントの連続による棒状の表示領域が形成される。
【００５８】
コントロール部６においては、平均血圧、測定値を区分により判定する際に、最高血圧を判定基準値ＳＹＳ１〜ＳＹＳ４により順次判定し、この場合、最高血圧が判定基準値ＳＹＳ４以上の場合、最高血圧値を重症高血圧に区分する。また最高血圧が判定基準値ＳＹＳ４より小さく、かつ判定基準値ＳＹＳ３以上の場合、最高血圧値を中等症高血圧に区分する。また最高血圧が判定基準値ＳＹＳ３より小さく、かつ判定基準値ＳＹＳ２以上の場合、最高血圧値を軽症高血圧に区分し、さらに最高血圧が判定基準値ＳＹＳ２より小さく、かつ判定基準値ＳＹＳ１以上の場合、最高血圧値を正常高血圧に区分し、最高血圧が判定基準値ＳＹＳ１より小さい場合、最高血圧値を適正血圧に区分する。
【００５９】
同様にしてコントロール部６は、最低血圧についても、対応する判定基準値ＤＩＡ１〜ＤＩＡ５により順次判定し、最低血圧を区分する。
【００６０】
コントロール部６は、このようにして判定して得られる最高血圧の区分については、最高血圧の表示の下に設けられたセグメントにおいて、血圧の低い側のセグメントより区分に対応するセグメントまでを点灯させて表示する。また最低血圧の区分について、同様に、最低血圧の表示の下に設けられたセグメントにおいて、血圧の低い側のセグメントより区分に対応するセグメントまでを点灯させて表示する。
【００６１】
この実施の形態のように、最高血圧値及び最低血圧値の属する区分をそれぞれ表示するようにすれば、さらに一段と詳細に測定結果を確認することができる。
【００６２】
（６）他の実施の形態
なお上述の実施の形態においては、分離されたセグメントの連続による棒状の領域で判定結果を表示する場合について述べたが、本発明はこれに限らず、図１３に示すように連続した領域により表示するようにしてもよい。なおこの場合、各区分の輪郭を併せて表示するようにして、ユーザーの確認の手助けとしてもよい。また図１４に示すように、血圧が高くなる区分側程、領域の幅を徐々に狭くしてもよく、またこれとは逆に図１５に示すように、血圧が高くなる区分の側程、領域の幅を広くするようにしてもよい。
【００６３】
また図１６に示すように、例えばセグメントを半分だけ表示して、血圧が区分の境界近傍であることを示すようにしてもよい。また図１７に示すように、区分の内容と示す文字、ユーザーの注意を喚起する文字等を、区分の表示に沿って印刷等により表示してもよく、また各区分の表示中に、このような文字を表示してもよい。
【００６４】
また上述の実施の形態においては、点灯と点滅とにより平均血圧、測定値の区分等を識別可能に表示する場合について述べたが、本発明はこれに限らず、色彩を異ならせて識別可能として表示してもよい。
【００６５】
また上述の実施の形態においては、ＷＨＯの血圧区分により血圧を判定して表示する場合について述べたが、本発明はこれに限らず、種々の血圧区分により判定して表示する場合に広く適用することができる。
【００６６】
また上述の実施の形態においては、本発明を家庭用の電子血圧計に適用した場合について述べたが、本発明は家庭用に限らず、種々の用途に係る電子血圧計に広く適用することができる。
【００６７】
【発明の効果】
上述のように本発明によれば、血圧値が、何れの血圧区分に属するかを判定し、この属する区分を棒状の領域で表示することにより、測定結果を標準の判定基準により簡易に確認することができる。
【図面の簡単な説明】
【図１】本発明の第１の実施の形態に係る電子血圧計の機能ブロック図である。
【図２】本発明の第１の実施の形態に係る電子血圧計を示すブロック図である。
【図３】図２の電子血圧計における液晶表示部の構成を示す平面図である。
【図４】血圧の区分の説明に供する特性曲線図である。
【図５】図２の電子血圧計におけるコントロール部の処理手順を示すフローチャートである。
【図６】本発明の第１の実施の形態に係る電子血圧計における液晶表示部の表示を示す平面図である。
【図７】メモリスイッチによるコントロール部の処理手順を示すフローチャートである。
【図８】図２の電子血圧計における平均値の表示を示す平面図である。
【図９】本発明の第２の実施の形態に係る電子血圧計における液晶表示部の表示を示す平面図である。
【図１０】本発明の第３の実施の形態に係る電子血圧計における区分の表示を示す平面図である。
【図１１】本発明の第４の実施の形態に係る電子血圧計における区分の表示を示す平面図である。
【図１２】本発明の第５の実施の形態に係る電子血圧計における液晶表示部の表示を示す平面図である。
【図１３】本発明の他の実施の形態に係る電子血圧計における液晶表示部の表示を示す平面図である。
【図１４】図１３とは異なる例による液晶表示部の表示を示す平面図である。
【図１５】血圧が高くなる区分の側程、領域の幅を広くした表示例を示す平面図である。
【図１６】血圧が区分の境界近傍の場合における表示例を示す平面図である。
【図１７】文字を併せて表示する場合における表示例を示す平面図である。
【符号の説明】
１……電子血圧計、２……カフ、３……本体装置、５……ポンプ、６……コントロール部、７……排気弁、８……圧力センサ、１２……液晶表示部
【図１】
2004121632.tif 000003
【図２】
2004121632.tif 000004
【図３】
2004121632.tif 000005
【図４】
2004121632.tif 000006
【図５】
2004121632.tif 000007
【図６】
2004121632.tif 000008
【図７】
2004121632.tif 000009
【図８】
2004121632.tif 000010
【図９】
2004121632.tif 000011
【図１０】
2004121632.tif 000012
【図１１】
2004121632.tif 000013
【図１２】
2004121632.tif 000014
【図１３】
2004121632.tif 000015
【図１４】
2004121632.tif 000016
【図１５】
2004121632.tif 000017
【図１６】
2004121632.tif 000018
【図１７】
2004121632.tif 000019